(57)【要約】      （修正有）【課題】使用者が首に着用したときに、保冷体や保温体などの温度媒体の熱を効率よく使用者に伝えることができる首用冷温感具を提供する。【解決手段】首用冷温感具は、外殻１１の内部に液体１２を密封している温度媒体１と、使用者の首に当接可能である突設部２１を有し、複数の温度媒体１を内包可能である金属製の筒状体２と、少なくとも突設部２１を除く筒状体２の外表面に覆設された樹脂製の保護部３を備える。【選択図】図５
0003230293.tif 000002
【実用新案登録請求の範囲】
【請求項１】
外殻（１１）の内部に液体（１２）を密封している温度媒体（１）と、
使用者の首に当接可能である突設部（２１）を有し、複数の前記温度媒体（１）を内包可能である金属製の筒状体（２）と、
少なくとも前記突設部（２１）を除く前記筒状体（２）の外表面に覆設された樹脂製の保護部（３）を備えることを特徴とする首用冷温感具。
【請求項２】
複数の前記筒状体（２）の間に連設され、前記温度媒体（１）を内包可能である樹脂製で筒状の接続部（４）を備えることを特徴とする請求項１に記載の首用冷温感具。
【請求項３】
略蹄鉄状であって、前記筒状体（２）の端部に着脱可能に設けられた蓋部（５）を備えることを特徴とする請求項１又は請求項２に記載の首用冷温感具。
【請求項４】
前記突設部（２１）が、前記筒状体（２）に沿って湾曲した略直方体形状であることを特徴とする請求項１から請求項３のいずれかに記載の首用冷温感具。
【考案の詳細な説明】
【技術分野】
【０００１】
本考案は、使用者が首に装着して使用し、その首に冷感又は温感を付与する器具に関するものである。
【背景技術】
【０００２】
室外、室内など温度調整がされていない場所や空間において、気温が高いときに使用者の首を冷却して体温の上昇を防いだり、又は気温が低いときに使用者の首を保温して体温の低下を防いだりする冷感器具又は温感器具が種々知られている。
【０００３】
このうち冷感器具としては、例えば、特許文献１に、一方の面が使用者の肌に接触され、保冷体を内蔵可能な袋本体と、その袋本体の帯長方向の両端に互いに連結可能に構成された結合部及び被結合部などを備える帯状の首部冷却袋が開示されている。なお、当該保冷体を人肌以上に加温すれば、温感器具としても使用することができる。
【先行技術文献】
【特許文献】
【０００４】
【特許文献１】登録実用新案第３２１７３６８号公報
【考案の概要】
【考案が解決しようとする課題】
【０００５】
しかしながら、特許文献１に記載の帯状の首部冷却袋は、明細書段落００２０に記載されているように、構成要素である袋本体、結合部、被結合部が生地により形成されているため、保冷体が十分に冷やされているとしてもその冷たさは生地により一定程度遮られてしまいその冷たさを使用者に効率よく伝えることができないという課題があった。また、仮に、保冷体を温めて保温材として利用するときも同様にその暖かさを使用者に効率よく伝えることができないという課題があった。
【０００６】
本考案は上記課題に鑑みてなされたものであり、使用者が首に着用したときに、保冷体や保温体などの温度媒体の熱を効率よく使用者に伝えることができる首用冷温感具を提供することを目的とする。
【課題を解決するための手段】
【０００７】
〔１〕すなわち、本考案は、外殻（１１）の内部に液体（１２）を密封している温度媒体（１）と、使用者の首に当接可能である突設部（２１）を有し、複数の前記温度媒体（１）を内包可能である金属製の筒状体（２）と、少なくとも前記突設部（２１）を除く前記筒状体（２）の外表面に覆設された樹脂製の保護部（３）を備えることを特徴とする首用冷温感具である。
【０００８】
〔２〕そして、複数の前記筒状体（２）の間に連設され、前記温度媒体（１）を内包可能である樹脂製で筒状の接続部（４）を備えることを特徴とする前記〔１〕に記載の首用冷温感具である。
【０００９】
〔３〕そして、略蹄鉄状であって、前記筒状体（２）の端部に着脱可能に設けられた蓋部（５）を備えることを特徴とする前記〔１〕又は前記〔２〕に記載の首用冷温感具である。
【００１０】
〔４〕そして、前記突設部（２１）が、前記筒状体（２）に沿って湾曲した略直方体形状であることを特徴とする前記〔１〕から前記〔３〕のいずれかに記載の首用冷温感具である。
【考案の効果】
【００１１】
本考案の首用冷温感具によれば、使用者が首に着用したときに、保冷体や保温体などの温度媒体の熱を効率よく使用者に伝えることができる。
【図面の簡単な説明】
【００１２】
【図１】本考案の首用冷温感具の第一実施形態における正面図である。
【図２】本考案の首用冷温感具の第一実施形態における蓋部５を取り外した状態を示す正面図である。
【図３】本考案の首用冷温感具の第一実施形態における側面図である。
【図４】本考案の首用冷温感具の第一実施形態におけるＡ−Ａ線断面図である。
【図５】本考案の首用冷温感具の第一実施形態におけるＢ−Ｂ線断面図である。
【図６】本考案の首用冷温感具の第二実施形態における正面図である。
【考案を実施するための形態】
【００１３】
以下、本考案の首用冷温感具に係る実施形態について図面に基づいて詳しく説明する。明細書中における上下の方向は図１における上下方向であり、左右方向は図１における左右方向である。また、以下に説明する実施形態は、本考案を実施するのに好ましい具体例であるから、技術的に種々の限定がなされているが、本考案は、以下の説明において特に考案を限定する旨が明記されていない限り、この実施形態に限定されるものではない。
【００１４】
図１から図６を参照して、本考案の首用冷温感具に係る実施形態について説明する。図１は、本考案の首用冷温感具の第一実施形態における正面図であり、図２は、同第一実施形態における蓋部５を取り外した状態の正面図である。図３は、同第一実施形態における側面図である。図４は、同第一実施形態におけるＡ−Ａ線断面図であって、（ａ）は温度媒体１が挿入されている状態の図であり、（ｂ）は温度媒体１を取り除いた状態の図である。図５は、同第一実施形態におけるＢ−Ｂ線断面図であって、（ａ）は温度媒体１が挿入されている状態の図であり、（ｂ）は温度媒体１を取り除いた状態の図である。図６は、同第二実施形態における正面図である。本実施形態の首用冷温感具は、外殻１１の内部に液体１２を有する温度媒体１と、筒状体２、保護部３、接続部４、蓋部５などから構成されている。
【００１５】
温度媒体１は、外殻１１の内部に液体１２を有し、使用者の首に冷感又は温感を付与することができる部材である。温度媒体１を家庭用冷蔵庫などの冷却装置にて冷却して筒状体２に挿入して使用することで、使用者の首に冷感を付与することができる。また、温度媒体１を湯煎、電子レンジなどで加温して筒状体２に挿入して使用することで、使用者の首に温感を付与することができる。温度媒体１を用いることで、筒状体２や接続部４に直接液体２を充填する必要がなく、温筒状体２や接続部４とは分離して度媒体1のみを容易に冷却又は加温することができ、温度媒体１が劣化したときには温度媒体１のみを交換すればよく首用冷温感具を長く使用することができる。そして、温度媒体1は、筒状体２や接続部４に収納しやすいため直径２５〜３０ｍｍ程度の球状であることが好ましく、筒状体２や接続部４内で移動できないように複数個収納されることが好ましい。また、温度媒体１は、本実施形態において球状であるが、他の実施形態において筒状体２や接続部４に内包することができる限り、立方状やその他の多面体形状とすることができる。
【００１６】
外殻１１は、液体１２を包み込んで密封し、厚さが０．５〜２ｍｍ程度のシリコーン、ポリプロピレン、ポリエチレンなどの合成樹脂などにより形成される部材である。さらに、液体１２が温度変化により膨張や収縮が起こることから、外殻１１は、可撓性を有していることが好ましい。
【００１７】
液体１２は、熱を媒介する流体であり、外殻１１から漏れ出る可能性があるため人体への安全性の観点から水であることが好ましいが、グリセリン、プロピレングリコール、ジエチレングリコールなどの有機溶剤を単独で又は組み合わせて用いることもできる。また、視認性を良くするために、赤、青、緑などの色を有する顔料や染料を混合することができる。
【００１８】
筒状体２は、複数の温度媒体１を内包可能である金属製の部材である。筒状体２は金属製であることにより熱伝導率が高く、温度媒体１の熱を筒状体２の全体に行き渡らせやすくなる。筒状体２の材質としては、具体的に、ステンレス、アルミニウム、銅、チタンなどを用いることができ、腐食の防止や装飾のためなどに筒状体２の外表面にめっきを施すこともできる。筒状体２は、本実施形態において、湾曲した丸筒状であるが、他の実施形態において、温度媒体１の形状に応じて断面が多角形の角筒状とすることもできる。また、図４（ａ）、同（ｂ）に示すように、筒状体２は、緩やかに湾曲した切れ目のない筒状として形成されているが、ハーフパイプ状など２つの部材が、それらの端部から張り出した鍔部を重ねて筒状に形成されてもよい。また、本実施形態において、３個の筒状体２と２個の接続部４が交互に配設されて、略馬蹄状の首用冷温感具を形成しているが、他の実施形態において、図６に示すように、第一実施形態とは異なる長さの５個の筒状体２と４個の接続部４を用いて構成することができ、筒状体２と接続部４の個数は特段に限定されるものではない。さらに、他の実施形態において、接続部４を用いずに、一つの長い筒状体２によって略馬蹄状の首用冷温感具を形成することができる。
【００１９】
保護部３は、少なくとも突設部２１を除く筒状体２の外表面に覆設された樹脂製の部材である。保護部３は、使用者の首と当接する突設部２１が少なくとも露出するようにして、筒状体２を覆うように設けられている。保護部３が樹脂製であることから、金属製である筒状体２に比べて熱伝導率が低いために、突設部２１などの箇所以外では温度媒体１の熱の拡散を低減することができるために、突設部２１での冷感又は温感の付与をより長く継続することができる。保護部３の材質としては、ポリプロピレン、ポリエチレン、ポリウレタン、ＡＢＳ、イソプレンゴム、ブタジエンゴム、熱可塑性エラストマーなどの合成樹脂などであることが好ましい。また、図４、図５に示すように、保護部３は、緩やかに湾曲した切れ目のない筒状として形成されているが、筒状体２と同様に、ハーフパイプ状など２つの部材が、それらの端部を重ねて結合され筒状に形成されてもよい。
【００２０】
そして、図５（ａ）、同（ｂ）に示すように、保護部３の内表面には突設部２１を除く筒状体２の外表面と点接触する複数の突起部３１が設けられている。突起部３１により、保護部３と筒状体２との間に隙間を設けることができ、その隙間の空気による断熱効果によって突設部２１などの箇所以外では温度媒体１の熱の拡散を低減することができるために、突設部２１での冷感又は温感の付与をより長く継続することができる。また、突起部３１は、本実施形態において、略半球状に形成されているが、他の実施形態において、略半円柱状、円錐状、角柱状、角錐状など保護部３の内表面と極力接触しないようにすることができる突起とすることができる。
【００２１】
接続部４は、複数の筒状体２の間に連設され、温度媒体１を内包可能である樹脂製で筒状の部材である。接続部４は樹脂製であるために、金属製である筒状体２に比べてある程度可撓性を有していることから、接続部４がある程度撓むことにより首用冷温感具を首に装着するときや首から取り外すときなどにスムーズに取り扱うことができる。接続部４の材質としては、ポリプロピレン、ポリエチレン、ポリ塩化ビニル、ＡＢＳ、イソプレンゴム、ブタジエンゴム、熱可塑性エラストマーなどの合成樹脂などであることが好ましい。そして、図５に示すように、接続部４は、より撓みやすくなるように、一部において又は全体に亘って蛇腹状の凹凸を有していることが好ましい。また、接続部４の外表面に対しては、他の種類の樹脂によりコーティングするなど表面処理を行うことができる。そして、接続部４を用いるときには、接続部４の内表面又は外表面の端部に設けられた螺子などの係合手段と筒状体２の外表面又は内表面の端部に設けられた螺子などの係合手段を係合させて接続して、略馬蹄状に形成される。また、接続部４は、本実施形態において、より撓みやすくするために蛇腹状に形成されているが、他の実施形態において、平坦な面とすることもできる。
【００２２】
蓋部５は、略馬蹄状に形成された首用冷温感具の両端である筒状体２の端部に着脱可能に設けられた部材である。蓋部５により、筒状体２や接続部４に内包されている温度媒体１が外部に飛び出すことを防ぐともに、常温程度になった温度媒体１を取り出して再度冷却又は加温することができる。蓋部５は、湾曲した底を有する筒状に形成されており、蓋部５の内表面又は外表面の端部に設けられた螺子などの係合手段と筒状体２の外表面又は内表面の端部に設けられた螺子などの係合手段を係合させることにより接続される。蓋部５が筒状体２と接続されたときには、蓋部５の外表面と筒状体２の外表面とおおよそ面一となることが好ましい。また、蓋部５の材質としては、ポリプロピレン、ポリエチレン、ＡＢＳなどの合成樹脂などであることが好ましい。さらに、蓋部５の内部には、温度媒体１が動かいないように固定するために、スポンジなどのつぶし代の大きい、すなわち圧縮時と非圧縮時における体積変化が大きい材料が内設されていることが好ましい。
【００２３】
そして、蓋部５には、貫通孔５１が穿設されている。貫通孔５１に紐６を通すなどして、略馬蹄状に形成された首用冷温感具の両端を結ぶことで、使用時に首用冷温感具が首から脱落することを防ぐことができる。なお、貫通孔５１に紐６を通すかは使用者により選択することができるのはもちろんである。
【符号の説明】
【００２４】
１・・・温度媒体
１１・・・外殻
１２・・・液体
２・・・筒状体
２１・・・突設部
３・・・保護部
３１突起部
４・・・接続部
５・・・蓋部
５１・・・貫通孔
６・・・紐
【図１】
0003230293.tif 000003
【図２】
0003230293.tif 000004
【図３】
0003230293.tif 000005
【図４】
0003230293.tif 000006
【図５】
0003230293.tif 000007
【図６】
0003230293.tif 000008